(57)【要約】【課題】露光装置を安定して位置決めすることができる画像形成装置を提供する。【解決手段】像保持体と、像保持体を露光する露光装置と、像保持体を露光する露光位置と像保持体から離間した退避位置との間で装置本体に対して移動するように露光装置を保持する保持部材と、装置本体に回転軸を有し装置本体の開口部を開閉する開閉部材と、一端が保持部材に連結され他端が開閉部材に連結され、開閉部材の開閉移動に伴って露光装置を露光位置と退避位置との間で移動させる移動部材と、を備えた。【選択図】図３
2016206333.tif 000002
【特許請求の範囲】
【請求項１】
像保持体と、
前記像保持体を露光する露光装置と、
前記像保持体を露光する露光位置と前記像保持体から離間した退避位置との間で装置本体に対して移動するように前記露光装置を保持する保持部材と、
前記装置本体に回転軸を有し前記装置本体の開口部を開閉する開閉部材と、
一端が前記保持部材に連結され他端が前記開閉部材に連結され、前記開閉部材の回転移動に伴って前記露光装置を前記露光位置と前記退避位置との間で移動させる移動部材と、を備えた、
ことを特徴とする画像形成装置。
【請求項２】
前記移動部材が、
一端が前記開閉部材に回転可能かつ移動可能に支持された第１リンク部材と、
一端が前記第１リンク部材の他端と回転可能に連結され他端が前記装置本体に回転可能に支持された第２リンク部材と、
一端が前記第１リンク部材の他端と回転可能に連結され他端が前記保持部材に回転可能に連結された第３リンク部材と、
前記開閉部材が前記開口部を塞いだ状態で、前記第１リンク部材の一端側が前記第３リンク部材の他端側に近づく方向に付勢する付勢部材と、を有する、
ことを特徴とする請求項１に記載の画像形成装置。
【請求項３】
前記露光位置で前記露光装置を前記像保持体に向けて押圧する押圧部材を有する、
ことを特徴とする請求項１又は２に記載の画像形成装置。
【請求項４】
前記開閉部材が前記開口部を塞いだ状態で、前記第２リンク部材及び前記第３リンク部材が前記保持部材の移動方向に直線状に位置して前記露光装置を前記像保持体に向けて押圧する前記押圧部材の反力を受ける、
ことを特徴とする請求項３に記載の画像形成装置。
【請求項５】
前記像保持体が、前記開閉部材により開閉される装置本体の前記開口部から装置本体に対して着脱される、
ことを特徴とする請求項１ないし４のいずれか１項に記載の画像形成装置。
【発明の詳細な説明】
【技術分野】
【０００１】
本発明は、画像形成装置に関する。
【背景技術】
【０００２】
装置本体と、現像剤を収容するように構成される複数のカートリッジと、複数のカートリッジを支持するように構成され、装置本体内に位置する内側位置から、少なくとも一部が装置本体外に位置する外側位置へ引出方向に引出可能なカートリッジ支持体とを有してなる画像形成ユニットと、複数の感光ドラムのそれぞれに対応して設けられ、感光ドラムを露光するための複数の発光部が感光ドラムの軸線方向に沿って配列された複数の露光部材と、第１位置と、第１位置より上方に位置し、画像形成ユニットの内側位置から外側位置への引出を許容する第２位置との間で移動するように構成されたカバーとを備え、カバーは、内側位置に位置する画像形成ユニットの上方を覆い、露光部材を支持する第１壁と、内側位置に位置する画像形成ユニットの引出方向側を覆う第２壁とを一体に有する画像形成装置が知られている（特許文献１）。
【０００３】
内部に用紙搬送路を有する装置本体と、用紙搬送路に搬送される用紙面に沿い且つ用紙搬送路と直交する方向の回動軸を中心に装置本体に対して開閉可能な開閉部材と、開閉部材の自由端を装置本体に係止して閉成位置にロックするロック手段と、開閉部材に保持され回動軸に平行に設けられた印字ヘッドと、開閉部材の閉成時に印字ヘッドと当接する装置本体に設けられた位置決め部材とを備える画像形成装置において、開閉部材の装置本体との対面側に設けられ一端部を開閉部材の自由端側に配設された軸支部に軸支され他端部を開閉部材の回動軸寄りに配設された係合部に係合され略中央部側端において印字ヘッドを接離方向に移動自在に保持する揺動部材と、揺動部材に保持される印字ヘッドを揺動部材から離れる方向に付勢する付勢部材と、を備え、揺動部材は、開閉部材の閉成時に印字ヘッドと位置決め部材との当接に基づく位置決め部材からの反力を、開閉部材との軸支部と係合部とに分散させる画像形成装置も知られている（特許文献２）。
【先行技術文献】
【特許文献】
【０００４】
【特許文献１】特開２０１４−１６５２１号公報
【特許文献２】特開平８−１４２４４５号公報
【発明の概要】
【発明が解決しようとする課題】
【０００５】
本発明は、開閉部材の回転移動に伴って露光装置部材を露光位置と退避位置との間で移動させる移動部材を備えない場合と比較して、露光装置を安定して位置決めすることができる画像形成装置を提供することを目的とする。
【課題を解決するための手段】
【０００６】
前記課題を解決するために、請求項１記載の画像形成装置は、
像保持体と、
前記像保持体を露光する露光装置と、
前記像保持体を露光する露光位置と前記像保持体から離間した退避位置との間で装置本体に対して移動するように前記露光装置を保持する保持部材と、
前記装置本体に回転軸を有し前記装置本体の開口部を開閉する開閉部材と、
一端が前記保持部材に連結され他端が前記開閉部材に連結され、前記開閉部材の回転移動に伴って前記露光装置を前記露光位置と前記退避位置との間で移動させる移動部材と、を備えた、
ことを特徴とする。
【０００７】
請求項２記載の発明は、請求項１に記載の画像形成装置において、
前記移動部材が、
一端が前記開閉部材に回転可能かつ移動可能に支持された第１リンク部材と、
一端が前記第１リンク部材の他端と回転可能に連結され他端が前記装置本体に回転可能に支持された第２リンク部材と、
一端が前記第１リンク部材の他端と回転可能に連結され他端が前記保持部材に回転可能に連結された第３リンク部材と、
前記開閉部材が前記開口部を塞いだ状態で、前記第１リンク部材の一端側が前記第３リンク部材の他端側に近づく方向に付勢する付勢部材と、を有する、
ことを特徴とする。
【０００８】
請求項３記載の発明は、請求項１又は２に記載の画像形成装置において、
前記露光位置で前記露光装置を前記像保持体に向けて押圧する押圧部材を有する、
ことを特徴とする。
【０００９】
請求項４記載の発明は、請求項３に記載の画像形成装置において、
前記開閉部材が前記開口部を塞いだ状態で、前記第２リンク部材及び前記第３リンク部材が前記保持部材の移動方向に直線状に位置して前記露光装置を前記像保持体に向けて押圧する前記押圧部材の反力を受ける、
ことを特徴とする。
【００１０】
請求項５記載の発明は、請求項１ないし４のいずれか１項に記載の画像形成装置において、
前記像保持体が、前記開閉部材により開閉される装置本体の前記開口部から装置本体に対して着脱される、
ことを特徴とする。
【発明の効果】
【００１１】
請求項１ないし３に記載の発明によれば、移動部材を備えない場合と比較して、露光装置を安定して位置決めすることができる。
請求項４に記載の発明によれば、移動部材を備えない場合と比較して、さらに開閉部材の変形を抑制することができる。
請求項５に記載の発明によれば、移動部材を備えない場合と比較して、像保持体を装置本体に対して容易に着脱することができる。
【図面の簡単な説明】
【００１２】
【図１】画像形成装置１の内部構成を示す縦断面模式図である。
【図２】露光位置における露光装置５０、感光体ユニット３０、現像装置４０、退避機構８０、開閉カバー９０の位置関係を示す斜視図である。
【図３】開閉カバー９０の開放操作の途中における露光装置５０、感光体ユニット３０、現像装置４０、退避機構８０、開閉カバー９０の位置関係を示す斜視図である。
【図４】退避位置における露光装置５０、感光体ユニット３０、現像装置４０、退避機構８０、開閉カバー９０の位置関係を示す斜視図である。
【図５】露光位置における露光装置５０、感光体ユニット３０、現像装置４０、退避機構８０、開閉カバー９０の位置関係を示す断面模式図である。
【図６】退避位置における露光装置５０、感光体ユニット３０、現像装置４０、退避機構８０、開閉カバー９０の位置関係を示す断面模式図である。
【図７】第１リンク部材８１及び第３リンク部材８３に対する付勢部材８５の取り付けを説明する模式図である。
【図８】感光体ユニット３０及び現像装置４０を着脱する際の露光装置５０の退避動作を説明するための断面模式図である。
【図９】開閉カバー９０の開放操作を説明するための断面模式図である。
【図１０】開閉カバー９０の閉操作による露光装置５０の露光位置への移動を説明するための断面模式図である。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
尚、以後の説明の理解を容易にするために、図面において、前後方向をＸ軸方向、左右方向をＹ軸方向、上下方向をＺ軸方向とする。
【００１４】
（１）画像形成装置の全体構成及び動作
図１は本実施形態に係る画像形成装置１の内部構成を示す縦断面模式図である。
以下、図面を参照しながら、画像形成装置１の全体構成及び動作を説明する。
【００１５】
画像形成装置１は、制御装置１０、用紙搬送装置２０、感光体ユニット３０、現像装置４０、露光装置５０、転写装置６０、定着装置７０、退避機構８０を備えて構成されている。
画像形成装置１の前面には、消耗品等を交換する場合に、画像形成装置１内部を前方（Ｘ方向）へ開放する開閉部材の一例としての開閉カバー９０が回転可能に支持されている。
画像形成装置１の後面には、紙詰まりや内部の点検等をする場合に、画像形成装置１内部を開放する後カバー１ｂが回転可能に支持されている。
画像形成装置１の上面（Ｚ方向）には、画像が記録された用紙が排出・収容される排出トレイを兼ねた上カバー１ｃが形成されている。
【００１６】
制御装置１０は、画像形成装置１の動作を制御する画像形成装置制御部１１と、印刷処理要求に応じた画像データを準備するコントローラ部１２、露光装置５０の光源の点灯を制御する露光制御部１３、電源装置１４等を有する。電源装置１４は、後述する帯電ローラ３２、現像ローラ４２、給電ローラ６３等に電圧を印加するとともに、露光装置５０に電力を供給する。
【００１７】
コントローラ部１２は、画像読み取り装置（不図示）から入力される画像データや外部の情報送信装置（例えばパーソナルコンピュータ等）から入力された印刷情報を潜像形成用の画像情報に変換して予め設定されたタイミングで、駆動信号を露光制御部１３に出力する。
【００１８】
画像形成装置１の底部には、用紙搬送装置２０が設けられている。用紙搬送装置２０は、用紙カセット２１を備え、用紙カセット２１の上面には多数の記録媒体としての用紙Ｐが積載され、規制板（不図示）で幅方向位置が決められた用紙Ｐは、上側から１枚ずつ用紙引き出し部２２により前方（Ｘ方向）に引き出された後、レジストローラ対２３の接触部まで搬送される。
【００１９】
感光体ユニット３０は、用紙搬送装置２０の上方に設けられ、ユニットハウジング３５内に回転駆動する感光体ドラム３１を備えている。感光体ドラム３１の回転方向にそって、帯電ローラ３２、現像装置４０、転写ローラ６２、クリーニングブレード３４が配置されている。帯電ローラ３２には、帯電ローラ３２の表面をクリーニングするクリーニングローラ３３が対向、接触して配置されている。
【００２０】
現像装置４０は、内部に現像剤が収容される現像ハウジング４１を有する。現像ハウジング４１内には、感光体ドラム３１に対向して配置された現像ローラ４２と、この現像ローラ４２の背面側斜め下方には現像剤を現像ローラ４２側へ撹拌搬送する一対のオーガ４４、４５が配設されている。現像ローラ４２には、現像剤の層厚を規制する層規制ロール４６が近接配置されている。
【００２１】
露光装置５０は、複数の発光素子（ＬＥＤ：Light  Emitting  Diode）が主走査方向に沿って線状に配列されたＬＥＤヘッドにより構成され、形成される画像データに応じて変調された光で感光体ドラム３１の表面を露光する。
露光装置５０は、開閉カバー９０の開閉動作で、移動部材としての退避機構８０によって、感光体ドラム３１を露光する露光位置と感光体ドラム３１から離間した退避位置との間で装置本体に対して移動する。
【００２２】
回転する感光体ドラム３１の表面は、帯電ローラ３２により帯電され、露光装置５０により静電潜像が形成される。感光体ドラム３１上に形成された静電潜像は現像ローラ４２によりトナー像として現像される。
【００２３】
転写装置６０は、転写ローラ６２を感光体ドラム３１に接離可能に支持する後カバー１ｂと、感光体ドラム３１とニップを形成する転写ローラ６２とから構成されている。転写ローラ６２には、画像形成装置制御部１１により制御される電源装置１４から転写電圧が印加され、感光体ドラム３１と転写ローラ６２間を通過する用紙Ｐに感光体ドラム３１上のトナー像を転写する。
【００２４】
感光体ドラム３１表面の残留トナーは、クリーニングブレード３４により除去され、感光体ドラム３１を支持するユニットハウジング３５内に回収される。その後、感光体ドラム３１の表面は、帯電ローラ３２により再帯電される。尚、クリーニングブレード３４で除去しきれず帯電ローラ３２に付着した残留物は、帯電ローラ３２に接触して回転するクリーニングローラ３３の表面に捕捉され、一時蓄積される。
【００２５】
定着装置７０は一対の加熱モジュール７１と加圧モジュール７２を有し、加熱モジュール７１と加圧モジュール７２の圧接領域によって定着ニップ部（定着領域）が形成される。
転写ローラ６２によってトナー像が転写された用紙Ｐは、トナー像が未定着の状態で搬送ガイド６４を経由して定着装置７０に搬送される。定着装置７０に搬送された用紙Ｐは、一対の加熱モジュール７１と加圧モジュール７２により、圧着と加熱の作用でトナー像が定着される。定着トナー像が形成された用紙Ｐは、排出ローラ対７４から画像形成装置１上面の上カバー１ｃに排出される。
【００２６】
（２）退避機構の構成
図２は露光位置における露光装置５０、感光体ユニット３０、現像装置４０、退避機構８０、開閉カバー９０の位置関係を示す斜視図、図３は開閉カバー９０の開放操作の途中における露光装置５０、感光体ユニット３０、現像装置４０、退避機構８０、開閉カバー９０の位置関係を示す斜視図、図４は退避位置における露光装置５０、感光体ユニット３０、現像装置４０、退避機構８０、開閉カバー９０の位置関係を示す斜視図、図５は露光位置における露光装置５０、感光体ユニット３０、現像装置４０、退避機構８０、開閉カバー９０の位置関係を示す断面模式図、図６は退避位置における露光装置５０、感光体ユニット３０、現像装置４０、退避機構８０、開閉カバー９０の位置関係を示す断面模式図、図７は第１リンク部材８１及び第３リンク部材８３に対する付勢部材８５の取り付けを説明する模式図である。
以下、図面を参照しながら、露光装置５０の退避動作と感光体ユニット３０及び現像装置４０の装置本体に対する着脱操作について説明する。
【００２７】
露光装置５０は、保持部材５１に保持され、開閉カバー９０の開閉動作によって、感光体ドラム３１を露光する露光位置と感光体ドラム３１から離間した退避位置との間で装置本体に対して移動する。
露光装置５０は、露光位置（図２、図５参照）では、感光体ユニット３０と現像装置４０との間で感光体ドラム３１に定められた間隙を有して位置決めされ、退避位置（図４、図６参照）では、感光体ドラム３１から離間して、感光体ユニット３０及び現像装置４０の着脱操作の移動軌跡（図６に破線で図示）に干渉しない状態で保持される。
【００２８】
退避機構８０は、一端の軸部８１ａが開閉カバー９０に回転可能かつ移動可能に支持された第１リンク部材８１と、一端の孔部８２ａが第１リンク部材８１の他端の軸部８１ｂと回転可能に連結され他端の軸部８２ｂが装置本体の筐体１００に回転可能に支持された第２リンク部材８２と、一端の孔部８３ａが第１リンク部材８１の他端の軸部８１ｂと回転可能に連結され他端の軸部８３ｂが保持部材５１に回転可能に連結された第３リンク部材８３と、第１リンク部材８１と第３リンク部材８３を互いに近接させるように作用して開閉カバー９０が開口部を塞ぐように付勢する付勢部材８５とから構成されている。
【００２９】
（２．１）開閉カバー
開閉カバー９０は、一端側に回転軸９１を有し装置本体の筐体１００に回転可能に支持されている。開閉カバー９０の内面側には開閉カバー９０と一体に一対のレール部９２が設けられている。レール部９２には、開閉カバー９０の内面に沿って長穴形状の溝部９３が形成され、第１リンク部材８１の一端の軸部８１ａを受け入れて、開閉カバー９０の回転移動に伴って、第１リンク部材８１の一端の軸部８１ａが溝部９３に案内されて移動する。
【００３０】
（２．２）第１リンク部材
第１リンク部材８１は、一方向に伸びる腕部８１Ａと、腕部８１Ａの両端側で横方向（Ｙ方向）に突出した回転軸部８１Ｂ、８１Ｃとが、一体として形成されている。
【００３１】
回転軸部８１Ｂの両端部には軸部８１ａが設けられ、開閉カバー９０の溝部９３に嵌めあわされて開閉カバー９０の開閉移動に伴って、溝部９３の長穴の範囲内で移動する。
回転軸部８１Ｃの両端部には軸部８１ｂが設けられ、第２リンク部材８２の孔部８２ａ及び第３リンク部材８３の孔部８３ａが挿通されて第２リンク部材８２、第３リンク部材８３の一端側が回転可能に連結される。
【００３２】
（２．３）第２リンク部材
第２リンク部材８２は、一方向に伸びる２本の腕部８２Ａと、腕部８２Ａの一端側で２本の腕部８２Ａを連結するように横方向（Ｙ方向）に伸びる回転軸部８２Ｂとが、一体として形成されている。
【００３３】
回転軸部８２Ｂの両端部には軸部８２ｂが設けられ、筐体１００の支持部１０１に回転可能に支持される。２本の腕部８２Ａの他端側には孔部８２ａが形成され、第１リンク部材８１の軸部８１ｂに挿通されて回転可能に連結される。
【００３４】
（２．４）第３リンク部材
第３リンク部材８３は、一方向に伸びる２本の腕部８３Ａと、腕部８３Ａの一端側で２本の腕部８３Ａを連結するように横方向（Ｙ方向）に伸びる回転軸部８３Ｂとが、一体として形成されている。
【００３５】
回転軸部８３Ｂの両端部には軸部８３ｂが設けられ、筐体１００の支持部１０２に移動可能に支持される。支持部１０２には、筐体１００の横方向（Ｘ方向）に沿って長穴形状の溝部１０３が形成され、開閉カバー９０の回転移動に伴って、第３リンク部材８３の軸部８３ｂが溝部１０３に案内されて移動する。
回転軸部８３Ｂの中央部には露光装置５０の保持部材５１の一端が回転可能に連結されている。
【００３６】
（２．５）付勢部材
付勢部材８５は、金属製のワイヤからなるトーションスプリングであり、円形状に複数回巻かれた巻付部８５Ａと、固定部８５Ｂと、自由端を有する腕部８５Ｃからなる。
【００３７】
図７に示すように、巻付部８５Ａは、第１リンク部材８１の軸部８１ｂと同軸に保持され、固定部８５Ｂは第３リンク部材８３の腕部８３Ａに固定され、腕部８５Ｃの自由端は第１リンク部材８１の回転軸部８１Ｃの両端部に形成された切り欠き部８１ｃに接触している。
その結果、付勢部材８５は、第１リンク部材８１と第３リンク部材８３を互いに近接させるように作用（図中  矢印Ｆ参照）し、第１リンク部材８１と連結された開閉カバー９０は装置本体の開口部を塞ぐように付勢されている。
【００３８】
（２．６）保持部材
保持部材５１は、露光装置５０を支持するとともに、先端部に露光位置で露光装置５０を感光体ドラム３１に向けて押圧する押圧部材としての圧縮コイルスプリング５２を有し、露光位置で露光装置５０を感光体ドラム３１に定められた間隙を有して位置決めする。
保持部材５１の他端は、第３リンク部材８３の回転軸部８３Ｂに連結され、第３リンク部材８３の移動に伴って、筐体１００の横方向（Ｘ方向）に沿って露光位置と退避位置の間で移動する。
【００３９】
（３）感光体ユニットの着脱操作
図８は感光体ユニット３０及び現像装置４０を着脱する際の露光装置５０の退避動作を説明するための断面模式図、図９は開閉カバー９０の開放操作を説明するための断面模式図、図１０は開閉カバー９０の閉操作による露光装置５０の露光位置への移動を説明するための断面模式図である。
以下、図面を参照しながら露光装置５０の退避動作について説明する。
【００４０】
感光体ユニット３０及び現像装置４０は、開閉カバー９０により開閉される装置本体の開口部から装置本体に対してプロセスユニットとして一体的に着脱される。装置本体の装着位置と開口部との間には、案内レール（不図示）が設けられ、感光体ユニット３０及び現像装置４０は案内レールに沿って着脱操作される。
【００４１】
装置本体に装着された感光体ユニット３０には、露光装置５０が露光位置で近接配置されているために、露光装置５０は感光体ユニット３０から離間して感光体ユニット３０及び現像装置４０の着脱操作の移動軌跡に干渉しない退避位置に移動される。
【００４２】
（３．１）プロセスユニットの脱着
保持部材５１に保持された露光装置５０は、開閉カバー９０の開動作を開始すると、第３リンク部材８３の水平移動（Ｘ方向）にともなって感光体ユニット３０から離間し始める（図８（ａ）参照）。
【００４３】
図８（ｂ）に示すように、開閉カバー９０を回転軸９１を回転中心として回転させる（図中  矢印Ｒ１参照）と、開閉カバー９０と一体に設けられたレール部９２の溝部９３に一端が連結された第１リンク部材８１が開閉カバー９０とともに移動する（図中  矢印Ｒ２参照）。
【００４４】
そして、第１リンク部材８１の回転軸部８１Ｃに連結された第２リンク部材８２の回転軸部８２Ｂと第３リンク部材８３の回転軸部８１Ｃが第１リンク部材８１の移動にともなって上方（Ｚ方向）に移動（図中  矢印Ｒ３）し、第３リンク部材８３の回転軸部８３Ｂが筐体１００に設けられた支持部１０２の溝部１０３に案内されて水平方向（−Ｘ方向）に移動する（図中  矢印Ｒ４参照）。
第３リンク部材８３の他端の水平移動に伴って露光装置５０を保持した保持部材５１が第３リンク部材８３とともに水平移動する（図中  矢印Ｒ５参照）。
【００４５】
図８（ｃ）に示すように、開閉カバー９０を更に回転させると、開閉カバー９０が開口部から完全に離間しない状態であっても、第１リンク部材８１と第３リンク部材８３は略同一直線上に伸びて、露光装置５０は感光体ユニット３０及び現像装置４０の着脱操作の移動軌跡に干渉しない退避位置に位置する。
【００４６】
第１リンク部材８１は付勢部材８５によって第３リンク部材８３と互いに近接するように付勢されているために、第１リンク部材８１の一端である軸部８１ａは開閉カバー９０の溝部９３の上方に押圧された状態で開閉カバー９０が回転移動する。
【００４７】
係る状態から開閉カバー９０を更に回転操作すると、第２リンク部材８２は回転移動が停止して、第１リンク部材８１が付勢部材８５の付勢力に抗して開閉カバー９０と一体に設けられたレール部９２の溝部９３内で下方に移動して開閉カバー９０のみが装置本体から離間して装置本体の開口部が解放される（図９（ａ）参照）。
【００４８】
更に開閉カバー９０を回転操作すると、付勢部材８５が、第１リンク部材８１と第３リンク部材８３を互いに互いに近接させるように作用（図中  矢印Ｆ参照）し、第１リンク部材８１と連結された開閉カバー９０は自重による下方への自由落下が抑制されながら、第１リンク部材８１の軸部８１ａが開閉カバー９０の溝部９３の底に接触して移動が停止する。（図９（ｂ）参照）。
【００４９】
（３．２）感光体ユニットの装着
図１０（ａ）に示すように、開閉カバー９０を回転操作して装置本体の開口部を解放した状態では、露光装置５０は感光体ユニット３０の着脱操作の移動軌跡に干渉しない退避位置に位置し、かかる状態で、感光体ユニット３０及び現像装置４０を案内レール（不図示）に沿って装着操作する。
【００５０】
そして、図１０（ｂ）に示すように、装置本体の開口部を塞ぐように開閉カバー９０を回転操作すると、第１リンク部材８１と連結された第３リンク部材８３が筐体１００に設けられた支持部１０２の溝部１０３に案内されて水平方向（Ｘ方向）に移動する（図中  矢印Ｒ６参照）。
第３リンク部材８３の水平移動に伴って露光装置５０を保持した保持部材５１が第３リンク部材８３とともに移動する（図中  矢印Ｒ７参照）。
【００５１】
更に、装置本体の開口部を塞ぐ位置まで開閉カバー９０を回転操作すると、保持部材５１に保持された露光装置５０は、圧縮コイルスプリング５２（図５中に図示）で感光体ドラム３１に近接するように付勢された状態で露光位置に位置する（図１０（ｃ）参照）。
【００５２】
露光位置では、第２リンク部材８２及び第３リンク部材８３が互いに広がり保持部材５１の移動方向（Ｘ方向）に同一直線上に位置して露光装置５０を感光体ドラム３１に向けて押圧する圧縮コイルスプリング５２の反力を受け、開閉カバー９０の内面が圧縮コイルスプリング５２の反力を受けることがない。
そのために、露光装置５０が装置本体内の露光位置で保持された状態で開閉カバー９０の変形を抑制することができる。
【００５３】
露光位置では、開閉カバー９０が、例えば、装置本体への係合ガタによって開き気味になった場合であっても、開閉カバー９０と露光装置５０の保持部材５１を連結している退避機構８０の第１リンク部材８１と第２リンク部材８２及び第３リンク部材８３の連結部は上方（Ｚ方向）に動き、第３リンク部材８３と連結された保持部材５１の水平方向（Ｘ方向）に移動は微動に抑制されている。
そのために、係る微動は保持部材５１に設けられた圧縮コイルスプリング５２の押圧力によって吸収され、露光装置５０の露光位置における位置決め精度が確保される。
【符号の説明】
【００５４】
１・・・画像形成装置
１０・・・制御装置
２０・・・給紙装置
３０・・・感光体ユニット
３１・・・感光体ドラム
４０・・・現像装置
５０・・・露光装置
５１・・・保持部材
５２・・・圧縮コイルスプリング
６０・・・転写装置
７０・・・定着装置
８０・・・退避機構
８１・・・第１リンク部材
８２・・・第２リンク部材
８３・・・第３リンク部材
８５・・・付勢部材（トーションスプリング）
９０・・・開閉カバー
１００・・・筐体
１０１、１０２・・・支持部
【図１】
2016206333.tif 000003
【図２】
2016206333.tif 000004
【図３】
2016206333.tif 000005
【図４】
2016206333.tif 000006
【図５】
2016206333.tif 000007
【図６】
2016206333.tif 000008
【図７】
2016206333.tif 000009
【図８】
2016206333.tif 000010
【図９】
2016206333.tif 000011
【図１０】
2016206333.tif 000012